(57)【特許請求の範囲】
【請求項１】
蓋体を構成する第１プレート及び第２プレートを備え、前記第１プレート及び前記第２プレートを移動することによって、前記蓋体を開閉する時計装置であり、
モータと、前記モータのトルクによって回転する第１回転体及び第２回転体とを備え、前記第１プレートを前記第１回転体の回転軸外部部位に係止するとともに、前記第２プレートを前記第２回転体の回転軸外部部位に係止し、
前記蓋体は、前記第１回転体及び前記第２回転体が回転することにより開閉し、
更に、当該時計装置は、装飾体と、両端部を前記第１回転体の回転軸外部部位及び前記装飾体にそれぞれ連結した第１連結体と、両端部を前記第２回転体の回転軸外部部位及び前記装飾体にそれぞれ連結した第２連結体とを備え、
前記装飾体は、前記第１回転体及び前記第２回転体が回転することにより上昇及び下降することを特徴とする時計装置。
【請求項２】
前記第１回転体又は前記第２回転体には、前記第１プレート又は前記第２プレートに向かって突出する突部を設けるとともに、前記第１プレート又は前記第２プレートには、前記突部を保持する溝部を設けたことを特徴とする請求項１記載の時計装置。
【請求項３】
前記第１プレート又は前記第２プレートの移動を規制する規制手段を備えたことを特徴とする請求項１又は２記載の時計装置。
【請求項４】
前記装飾体は、前記蓋体が開くとともに下降し、前記蓋体が閉じるとともに上昇することを特徴とする請求項１乃至３のいずれか記載の時計装置。
【発明の詳細な説明】
【０００１】
【発明の属する技術分野】
本発明は、蓋体を開閉する時計装置に関する。
【０００２】
【従来の技術】
従来、時計装置としては、視覚的美観や面白味を付加するために、蓋体を開閉するものが知られている。この種の時計装置は、例えば特開平８−６８８７０号や、特開平８−６８８６９号等にも、文字盤を開閉可能な蓋体に構成してなるものが開示されている。
【０００３】
【発明が解決しようとする課題】
ところで近年、時計のデザインはますます多様化されており、前述したように蓋体を開閉するものについても、製造コストの低減や、装置の小型化及び軽量化を達成するべく、更なる構成が求められている。
【０００４】
本発明は、このような問題に鑑みてなされたものであり、蓋体を効率よく開閉することができる時計装置を提供することを目的としている。
【０００５】
【課題を解決するための手段】
本願第１請求項に記載した発明は、蓋体を構成する第１プレート及び第２プレートを備え、前記第１プレート及び前記第２プレートを移動することによって、前記蓋体を開閉する時計装置であり、モータと、前記モータのトルクによって回転する第１回転体及び第２回転体とを備え、前記第１プレートを前記第１回転体の回転軸外部部位に係止するとともに、前記第２プレートを前記第２回転体の回転軸外部部位に係止し、前記蓋体は、前記第１回転体及び前記第２回転体が回転することにより開閉し、更に、当該時計装置は、装飾体と、両端部を前記第１回転体の回転軸外部部位及び前記装飾体にそれぞれ連結した第１連結体と、両端部を前記第２回転体の回転軸外部部位及び前記装飾体にそれぞれ連結した第２連結体とを備え、前記装飾体は、前記第１回転体及び前記第２回転体が回転することにより上昇及び下降する構成の時計装置であり、このような構成によると、蓋体が効率よく開閉される。また、このような構成によると、蓋体を開閉するとともに、装飾体を上昇及び下降することができ、より複雑な動作が得られる。
【０００６】
すなわち、本発明においては、第１回転体及び第２回転体の回転に伴い、第１プレートが第１回転体に連動するとともに、第２プレートが第２回転体に連動し、蓋体は、第１プレート及び第２プレートがそれぞれ所定の方向に移動することによって開閉される。
【０００７】
本願第２請求項に記載した発明は、請求項１において、前記第１回転体又は前記第２回転体には、前記第１プレート又は前記第２プレートに向かって突出する突部を設けるとともに、前記第１プレート又は前記第２プレートには、前記突部を保持する溝部を設けた構成の時計装置であり、このような構成によると、第１回転体又は第２回転体と、第１プレート又は第２プレートとを、効率よく係止することが可能である。
【０００８】
突部は、第１回転体又は第２回転体の回転により、第１プレート又は第２プレートを押しつつ溝部内を移動する。
【０００９】
本願第３請求項に記載した発明は、請求項１又は２において、前記第１プレート又は前記第２プレートの移動を規制する規制手段を備えた構成の時計装置であり、このような構成によると、規制手段にて第１プレート又は第２プレートの移動方向が設定される。
【００１１】
本願第４請求項に記載した発明は、請求項１乃至３のいずれかにおいて、前記装飾体は、前記蓋体が開くとともに下降し、前記蓋体が閉じるとともに上昇する構成の時計装置であり、このような構成によると、時計装置の動作が一層面白く構成される。
【００１２】
【発明の実施の形態】
以下に、本発明の具体例を図面に基いて詳細に説明する。
【００１３】
図１乃至図４に示す本例の時計装置１は、電波による時刻信号を受信して時刻修正を行う電波修正時計である。
【００１４】
本時計装置１は、装置全体を覆う時計筐体１００の正面に設けた蓋体２００上を指針３００が回転するものであり、所定の時刻になると、メロディを奏でるとともに、蓋体２００が開閉するように構成されている。
【００１５】
本例の蓋体２００は、所謂文字盤であって、右半部の第１プレート２１０、及び左半部の第２プレート２２０を組み合わせてなり、第１プレート２１０及び第２プレート２２０を左右方向にそれぞれ移動することによって開閉される。
【００１６】
本時計装置１は、時計筐体１００の後方部１１０に設けたモータ４００と、モータ４００のトルクによって回転する第１回転体５１０及び第２回転体５２０とを備えている。また、第１プレート２１０は、第１回転体５１０の回転軸外部部位に係止するとともに、第２プレート２２０は、第２回転体５２０の回転軸外部部位に係止しており、第１プレート２１０及び第２プレート２２０の移動は、モータにて第１回転体及び第２回転体を回転することによってなされる。
【００１７】
モータ４００は正逆回転可能なものであり、時刻に応じて制御されている。また、その出力部４１０は第１回転体５１０に噛合している。
【００１８】
第１回転体５１０及び第２回転体５２０は、それぞれ、時計筐体１００に軸支された同型の円盤状の部材であり、回転軸５１１，５２１を中心に回転可能に設けられている。また、それらの周縁部には、所定のピッチで同様に歯が形成されており、第１回転体５１０及び第２回転体５２０は互いに噛合している。
【００１９】
更に、第１回転体５１０及び第２回転体５２０の要所には、第１プレート２１０及び第２プレート２２０に向かって突出する突部５１２，５２２をそれぞれ設けるとともに、第１プレート２１０及び第２プレート２２０には、各突部５１２，５２２を保持する長孔状の溝部２１１，２２１をそれぞれ設けている。
【００２０】
このような構成によると、モータ４００のトルクによって、第１回転体５１０が回転し、第２回転体５２０が第１回転体５１０に従動回転する。第１回転体５１０の回転と第２回転体５２０の回転とは、互いに対称且つ同期となる。
【００２１】
また、これと同時に、第１プレート２１０及び第２プレート２２０が移動し、蓋体２００が開閉する。このとき各突部５１２，５２２は、第１プレート２１０及び第２プレート２２０を押しつつ各溝部２１１，２２１内を移動する。
【００２２】
尚、第１プレート２１０及び第２プレート２２０の移動方向は、突部２１２，２２２と溝部１１１とからなる規制手段にて規制している。すなわち、本例の規制手段は、第１プレート２１０及び第２プレート２２０の要所にそれぞれ設けた突部２１２，２２２と、各突部２１２，２２２を保持する長孔状の溝部１１１とを備え、第１プレート２１０及び第２プレート２２０は、突部２１２，２２２が溝部１１１内を移動する範囲で移動するように構成している。溝部１１１は、時計筐体１００の後方部１１０に設けている。
【００２３】
更に、本例の時計装置１は、上昇及び下降する装飾体６００を備えたものであり、装飾体６００は、蓋体２００を開くとともに下降し、蓋体２００を閉じるとともに上昇するように構成している。
【００２４】
すなわち、時計装置１は、両端部７１１，７１２を第１回転体５１０の回転軸外部部位及び装飾体６００にそれぞれ連結した第１連結体７１０と、両端部７２１，７２２を第２回転体５２０の回転軸外部部位及び装飾体６００にそれぞれ連結した第２連結体７２０とを備え、装飾体６００は、第１回転体５１０及び第２回転体５２０が回転することにより、上昇及び下降するように構成している。
【００２５】
装飾体６００は、時計装置１を装うことによって、その外観の面白味を向上するものであり、本例では、所定の時刻において、蓋体２００の背部から鉛直方向に下降し、備え付けられた複数の人形６１０が、メロディに合わせて動作し、所定の動作を終えると、上昇して再び元の位置に復帰するように構成されている。蓋体２００は、装飾体６００の上昇及び下降に応じて開閉する。
【００２６】
本例の第１連結体７１０及び第２連結体７２０は、棒状又はワイヤー状の部材であり、一方の端部７１１，７２１を第１回転体５１０及び第２回転体５２０の要所に枢支するとともに、他方の端部７１２，７２２を装飾体６００の要所に枢支することにより、装飾体６００を第１回転体５１０及び第２回転体５２０に支持している。すなわち、装飾体６００は、第１回転体５１０及び第２回転体５２０の要所より下垂している。
【００２７】
従って、装飾体６００は、第１回転体５１０及び第２回転体５２０の回転に伴い、上昇又は下降する。ここで、モータ４００は、装飾体６００を下降する際に正回転し、上昇する際に逆回転する。
【００２８】
また、装飾体６００については、上昇及び下降する範囲で最上となる第１の停止位置（図１、図３参照）と、最下となる第２の停止位置（図２、図４参照）とを設定している。
【００２９】
装飾体６００は、通常時には第１の停止位置で待機し、所定の時刻になると、第２の停止位置まで下降し、一旦停止する。
【００３０】
蓋体２００は、装飾体６００が第１の停止位置にある際は閉じており、装飾体６００が第２の停止位置にある際は開いている。
【００３１】
尚、それらの停止位置においては、モータ４００の励磁電流を休止しており、出力部４１０にトルクが発生されていない。この際、第１連結体７１０の両端部７１１，７１２を結ぶ線と、第１回転体５１０の回転軸５１１方向とが交差する。また、第２連結体７２０の両端部７２１，７２２を結ぶ線と、第２回転体５２０の回転軸５２１方向とが交差する。但し、このような交差は、第１連結体７１０、第２連結体７２０等の自重により、多少ずれる場合もある。
【００３２】
このような構成によれば、装飾体６００の荷重が、第１回転体５１０及び第２回転体５２０の回転軸５１１，５２１によって効率よく支えられるので、装飾体６００の停止状態は安定される。特に、第１の停止位置からの装飾体２１０の不要な落下は防止される。
【００３３】
仮に、第１の停止位置と第２の停止位置との間において、装飾体６００を停止させる場合は、モータ４００に電磁ブレーキをかける等の複雑な構成を要するが、本例では、そのような不都合を回避することができる。
【００３４】
このように、本例の時計装置１は、蓋体２００を開閉するとともに、装飾体６００を上昇及び下降するものであり、その視覚的美観や面白味を向上したものである。
【００３５】
尚、本例の場合、第１プレート２１０及び第２プレート２２０と、第１回転体５１０及び第２回転体５２０とは、突部５１２，５２２及び溝部２１１，２２１によって係止したが、或いは、棒やワイヤー等を介して互いに係止することも可能である。
【００３６】
また、本例では、モータ２２０を正逆回転するように構成したが、一方のみに回転するものを用いてもよい。その場合は、第１回転体や第２回転体にラチェット等を設けて、それらの逆回転を防止するとよい。
【００３７】
以上説明したように、本例の時計装置によると、蓋体を構成する第１プレート及び第２プレートを備え、第１プレート及び第２プレートを移動することによって、蓋体を開閉する時計装置であり、モータと、モータのトルクによって回転する第１回転体及び第２回転体とを備え、第１プレートを第１回転体の回転軸外部部位に係止するとともに、第２プレートを第２回転体の回転軸外部部位に係止し、蓋体は、第１回転体及び第２回転体が回転することにより開閉するので、蓋体を効率よく開閉することができる。
【００３８】
更に、本例の時計装置によると、第１回転体又は第２回転体には、第１プレート又は第２プレートに向かって突出する突部を設けるとともに、第１プレート又は第２プレートには、突部を保持する溝部を設けたので、第１回転体又は第２回転体と、第１プレート又は第２プレートとを、効率よく係止することができる。
【００３９】
更に、本例の時計装置によると、第１プレート又は第２プレートの移動を規制する規制手段を備えたので、規制手段にて第１プレート又は第２プレートの移動方向を設定することができる。
【００４０】
更に、本例の時計装置によると、装飾体と、両端部を第１回転体及び装飾体にそれぞれ連結した第１連結体と、両端部を第２回転体及び装飾体にそれぞれ連結した第２連結体とを備え、装飾体は、第１回転体及び第２回転体が回転することにより上昇及び下降するので、蓋体を開閉するとともに、装飾体を上昇及び下降することができ、より複雑な動作を得ることができる。
【００４１】
更に、本例の時計装置によると、装飾体は、蓋体が開くとともに下降し、蓋体が閉じるとともに上昇するので、時計装置の動作を一層面白く構成することができる。
【００４２】
【発明の効果】
本願第１請求項に記載した発明は、蓋体を構成する第１プレート及び第２プレートを備え、前記第１プレート及び前記第２プレートを移動することによって、前記蓋体を開閉する時計装置であり、モータと、前記モータのトルクによって回転する第１回転体及び第２回転体とを備え、前記第１プレートを前記第１回転体の回転軸外部部位に係止するとともに、前記第２プレートを前記第２回転体の回転軸外部部位に係止し、前記蓋体は、前記第１回転体及び前記第２回転体が回転することにより開閉し、更に、当該時計装置は、装飾体と、両端部を前記第１回転体の回転軸外部部位及び前記装飾体にそれぞれ連結した第１連結体と、両端部を前記第２回転体の回転軸外部部位及び前記装飾体にそれぞれ連結した第２連結体とを備え、前記装飾体は、前記第１回転体及び前記第２回転体が回転することにより上昇及び下降する構成の時計装置であり、このような構成によると、蓋体を効率よく開閉することができる。また、このような構成によると、蓋体を開閉するとともに、装飾体を上昇及び下降することができ、より複雑な動作を得ることができる。
【００４３】
本願第２請求項に記載した発明は、請求項１において、前記第１回転体又は前記第２回転体には、前記第１プレート又は前記第２プレートに向かって突出する突部を設けるとともに、前記第１プレート又は前記第２プレートには、前記突部を保持する溝部を設けた構成の時計装置であり、このような構成によると、第１回転体又は第２回転体と、第１プレート又は第２プレートとを、効率よく係止することができる。
【００４４】
本願第３請求項に記載した発明は、請求項１又は２において、前記第１プレート又は前記第２プレートの移動を規制する規制手段を備えた構成の時計装置であり、このような構成によると、規制手段にて第１プレート又は第２プレートの移動方向を設定することができる。
【００４６】
本願第４請求項に記載した発明は、請求項１乃至３のいずれかにおいて、前記装飾体は、前記蓋体が開くとともに下降し、前記蓋体が閉じるとともに上昇する構成の時計装置であり、このような構成によると、時計装置の動作を一層面白く構成することができる。
【図面の簡単な説明】
【図１】  本発明の具体例に係り、蓋体が閉じた状態の時計装置を示す正面図である。
【図２】  本発明の具体例に係り、蓋体が開いた状態の時計装置を示す正面図である。
【図３】  本発明の具体例に係り、蓋体が開いた状態の時計装置内部を示す正面図である。
【図４】  本発明の具体例に係り、蓋体が開いた状態の時計装置内部を示す正面図である。
【符号の説明】
１      時計装置
１００      時計筐体
１１０      後方部
１１１      溝部
２００      蓋体
２１０      第１プレート
２１１      溝部
２１２      突部
２２０      第２プレート
２２１      溝部
２２２      突部
３００      指針
４００      モータ
４１０      出力部
５１０      第１回転体
５１１      回転軸
５１２      突部
５２０      第２回転体
５２１      回転軸
５２２      突部
６００      装飾体
６１０      人形
７１０      第１連結体
７１１      端部
７１２      端部
７２０      第２連結体
７２１      端部
７２２      端部
【図１】
0003704025.tif 000002
【図２】
0003704025.tif 000003
【図３】
0003704025.tif 000004
【図４】
0003704025.tif 000005